(57)【要約】【課題】鍵の返却忘れを防止して、必要なときにエレベータの保守用の鍵を取り出すことができる鍵管理システムを提供する。【解決手段】ＩＤカード９の識別情報を読み取る外部カードリーダ２と、認証情報が記憶されたメモリ１２と、識別情報と認証情報とが一致した場合に、キーボックス１の扉５を解錠状態にする扉施錠制御手段２１と、ＩＤカード９が挿入口１０にあるか否かを判定するカード設置状態判定手段１３と、識別情報を読み取る内部カードリーダ１１と、外部カードリーダ２および内部カードリーダ１１で読み取られた識別情報が一致する場合に、スライドカバー８を解錠状態にするスライドカバー施錠制御手段２２と、鍵６が鍵保管部７内にあるか否かを判定する鍵設置状態判定手段１４と、ＩＤカード９および鍵６がともに設置されていないと判定された場合に警報を発する警報制御手段２３とを備えている。【選択図】図２
2009249821.tif 000002
【特許請求の範囲】
【請求項１】
エレベータの保守用の鍵が保管される鍵保管部が内部に設けられたキーボックスを含む鍵管理システムであって、
前記キーボックスの外部に向けられた読み取り面を有し、前記鍵の利用者が携帯する個人識別カードに記憶された識別情報を読み取る外部カードリーダと、
前記利用者を認証するための認証情報が記憶されたメモリと、
前記外部カードリーダで読み取られた識別情報と前記認証情報とを比較して、両者が一致した場合に、前記キーボックスの扉を解錠状態にするキーボックス扉施錠制御手段と、
前記個人識別カードが前記キーボックス内の所定の設置位置に設置されているか否かを判定するカード設置状態判定手段と、
前記所定の設置位置に設けられ、前記識別情報を読み取る内部カードリーダと、
前記内部カードリーダで読み取られた識別情報が、前記外部カードリーダで読み取られた識別情報と一致する場合に、前記鍵保管部の扉を解錠状態にする鍵保管部扉施錠制御手段と、
前記鍵が前記鍵保管部内に設置されているか否かを判定する鍵設置状態判定手段と、
前記カード設置状態判定手段により前記個人識別カードが設置されていないと判定され、かつ前記鍵設置状態判定手段により前記鍵が設置されていないと判定された場合に、前記利用者に対する警報を発する警報制御手段と、
を備えたことを特徴とする鍵管理システム。
【請求項２】
前記鍵設置状態判定手段からの出力は、エレベータのかごの動作を制御するかご制御盤を介して、エレベータを遠隔管理する管理センターに伝達されることを特徴とする請求項１に記載の鍵管理システム。
【請求項３】
前記扉施錠制御手段は、前記鍵が前記鍵保管部から取り出された後に前記キーボックスの扉を施錠し、その後、前記エレベータの保守作業が行われる箇所から作業の開始を伝える保守開始信号が入力されるまでは、前記キーボックスの扉を解錠状態にしないことを特徴とする請求項１または請求項２に記載の鍵管理システム。
【請求項４】
前記個人識別カードは、社員証であることを特徴とする請求項１から請求項３までの何れか１項に記載の鍵管理システム。
【発明の詳細な説明】
【技術分野】
【０００１】
この発明は、エレベータの保守用の鍵を管理する鍵管理システムに関する。
【背景技術】
【０００２】
従来、エレベータの保守用の鍵が保管されるキーボックスは、エレベータの設置現場毎にそれぞれ設けられている。各キーボックスには、それぞれ設置現場毎に異なる保守用の鍵が保管されており、各キーボックスの扉は、互いに共通の鍵で施錠されている。
エレベータの保守作業を行う者は、共通の鍵でキーボックスの扉を開け、キーボックス内に保管されている保守用の鍵を取り出している。
そのため、この共通の鍵を携帯していない場合には、キーボックスの扉を開けることができず、例えば急なエレベータの保守作業が必要になったときであっても、保守作業を行うことができないという問題点があった。
【０００３】
そこで、この問題点を解決するために、例えば社員全員が携帯する社員証等の個人識別カード（以下、「ＩＤカード」と称する）を用いてキーボックスの扉を開けることが考えられる。
これにより、共通の鍵を携帯していないためにエレベータの保守作業を行うことができないという問題は、解決される。
ここで、ＩＤカードを用いてキーボックスに保管された鍵を取り出す発明としては、例えば以下のものが挙げられる。
【０００４】
従来の鍵管理装置は、ＩＤカード（磁気カードまたはＩＣカード）の内容をカード読み取り手段で読み取り、ＩＤカードの内容が所定の認証条件を満たす場合に、装置を覆い設備を保護する保護扉を解錠している。また、ＩＤカードをカード読み取り手段に挿入した状態で、表示入力手段により所定の必要情報を入力した場合に、鍵を覆い保護する鍵カバーを解錠し、鍵を取り出し可能にしている（例えば、特許文献１参照）。
ここで、鍵を取り出した後、鍵カバーを閉めることにより、鍵カバーが施錠され、保護扉を閉めて、ＩＤカードを抜き取ることにより、保護扉が施錠される。
【０００５】
【特許文献１】特開２００４−３００６８３号公報
【発明の開示】
【発明が解決しようとする課題】
【０００６】
しかしながら、従来技術には、次のような問題点があった。
すなわち、鍵を取り出した後にＩＤカードを抜き取ることができるので、例えばエレベータの保守作業を実行した後、保守用の鍵の返却を忘れて、鍵を持ったままキーボックスから離れる可能性がある。
この場合には、エレベータの保守作業を行うことができなくなるという問題点があった。
【０００７】
この発明は、上記のような課題を解決するためになされたものであって、その目的は、鍵の返却忘れを防止して、必要なときにエレベータの保守用の鍵を取り出すことができる鍵管理システムを提供することにある。
【課題を解決するための手段】
【０００８】
この発明に係る鍵管理システムは、エレベータの保守用の鍵が保管される鍵保管部が内部に設けられたキーボックスを含むシステムであって、キーボックスの外部に向けられた読み取り面を有し、鍵の利用者が携帯する個人識別カードに記憶された識別情報を読み取る外部カードリーダと、利用者を認証するための認証情報が記憶されたメモリと、外部カードリーダで読み取られた識別情報と認証情報とを比較して、両者が一致した場合に、キーボックスの扉を解錠状態にするキーボックス扉施錠制御手段と、個人識別カードがキーボックス内の所定の設置位置に設置されているか否かを判定するカード設置状態判定手段と、所定の設置位置に設けられ、識別情報を読み取る内部カードリーダと、内部カードリーダで読み取られた識別情報が、外部カードリーダで読み取られた識別情報と一致する場合に、鍵保管部の扉を解錠状態にする鍵保管部扉施錠制御手段と、鍵が鍵保管部内に設置されているか否かを判定する鍵設置状態判定手段と、カード設置状態判定手段により個人識別カードが設置されていないと判定され、かつ鍵設置状態判定手段により鍵が設置されていないと判定された場合に、利用者に対する警報を発する警報制御手段とを備えたものである。
【発明の効果】
【０００９】
この発明の鍵管理システムによれば、警報制御手段は、カード設置状態判定手段により個人識別カードが設置されていないと判定され、かつ鍵設置状態判定手段により鍵が設置されていないと判定された場合に、利用者に対する警報を発する。
すなわち、エレベータの保守用の鍵を取り出している間は、ＩＤカードをキーボックスに残しておく必要がある。
そのため、鍵の返却忘れを防止して、必要なときにエレベータの保守用の鍵を取り出すことができる。
【発明を実施するための最良の形態】
【００１０】
以下、この発明の各実施の形態について図に基づいて説明するが、各図において同一、または相当する部分については、同一符号を付して説明する。
なお、以下の実施の形態では、エレベータの保守用の鍵としてエレベータの機械室の鍵を例に挙げて説明するが、これに限定されない。
【００１１】
実施の形態１．
図１は、この発明の実施の形態１に係る鍵管理システムのキーボックス１を示す斜視図である。
図１において、キーボックス１の側面には、外部に向けられた読み取り面を有し、エレベータの機械室の鍵６の利用者が携帯するＩＤカード９に記憶された識別情報を読み取る外部カードリーダ２と、スピーカ３（警報装置）と、鍵穴４とが設けられている。鍵穴４は、キーボックス１内の鍵保管部７に保管される鍵６に対応しており、鍵穴４に対する鍵６の操作を操作信号として出力する。
【００１２】
また、キーボックス１の扉５を開けたキーボックス１の内部には、鍵６が保管される鍵保管部７が設けられ、スライドカバー８（鍵保管部の扉）によって鍵６が遮蔽されている。ここで、扉５およびスライドカバー８は、それぞれ電気的に施錠および解錠され、通常時は施錠されている。また、扉５は、利用者が手を離すと自動的に閉まるように構成され、閉まったときあるいは閉まってから所定時間が経過した後に施錠される。
また、鍵保管部７には、鍵６が鍵保管部７内に設置されているか否かを判定する鍵設置状態判定手段１４（図示せず）が設けられている。鍵設置状態判定手段１４は、例えばスイッチ等のハードウェアである。
【００１３】
また、キーボックス１の内部には、ＩＤカード９が挿入される挿入口１０が設けられている。ＩＤカード９は、例えば社員全員が携帯する社員証である。また、挿入口１０の内部には、ＩＤカード９が挿入されているか、すなわちＩＤカード９が所定の設置位置に設置されているか否かを判定するカード設置状態判定手段１３（図示せず）が設けられている。カード設置状態判定手段１３は、例えばスイッチ等のハードウェアである。また、挿入口１０の内部には、ＩＤカード９の識別情報を読み取る内部カードリーダ１１（図示せず）が設けられている。
【００１４】
図２は、この発明の実施の形態１に係る鍵管理システムを示すブロック構成図である。
図２において、この鍵管理システムは、コントローラ２０、外部カードリーダ２、内部カードリーダ１１、メモリ１２、カード設置状態判定手段１３、鍵設置状態判定手段１４、扉５、スライドカバー８、スピーカ３および鍵穴４から構成されている。
また、コントローラ２０は、扉施錠制御手段２１（キーボックス扉施錠制御手段）、スライドカバー施錠制御手段２２（鍵保管部扉施錠制御手段）および警報制御手段２３を含んでいる。
【００１５】
メモリ１２には、鍵６の利用者を認証するための認証情報が記憶されている。
扉施錠制御手段２１は、外部カードリーダ２で読み取られたＩＤカード９の識別情報とメモリ１２に記憶された認証情報とを比較して、両者が一致した場合に鍵６の利用者を認証する。また、扉施錠制御手段２１は、鍵６の利用者が認証された場合に、扉５に対して解錠指令を出力し、扉５を解錠状態にする。
また、扉施錠制御手段２１は、鍵穴４から操作信号が入力された場合に、扉５に対して解錠指令を出力し、扉５を解錠状態にする。
【００１６】
スライドカバー施錠制御手段２２は、内部カードリーダ１１で読み取られたＩＤカード９の識別情報が、外部カードリーダ２で読み取られたＩＤカード９の識別情報と一致するか否かを判定する。スライドカバー施錠制御手段２２は、識別情報が一致した場合に、スライドカバー８に対して解錠指令を出力し、スライドカバー８を解錠状態にする。これにより、鍵６が取り出し可能状態になる。なお、スライドカバー８は、ＩＤカード９が挿入されている間は、解錠状態を保持する。
【００１７】
警報制御手段２３は、スピーカ３を介して鍵６の利用者に対する警報を発する。
具体例として、警報制御手段２３は、カード設置状態判定手段１３によりＩＤカード９が設置されていないと判定され、鍵設置状態判定手段１４により鍵６が設置されていないと判定された場合に、警報を発する。
なお、この警報は、警報音であってもよいし、ＩＤカード９および鍵６が設置されていないことを示す音声であってもよい。
【００１８】
また、コントローラ２０には、鍵６が取り出されて機械室のドアが開放されたときに、機械室のドアに設けられた機械室ドアスイッチ３１から、ドア開放信号（保守開始信号）が入力される。
また、コントローラ２０は、鍵設置状態判定手段１４から出力される判定結果を、エレベータのかごの動作を制御するかご制御盤３２を介して、エレベータを遠隔管理する管理センター３３に伝達する。
【００１９】
以下、上記構成の鍵管理システムの動作について説明する。
最初に、図３のフローチャートを参照しながら、鍵６の取り出し時の動作について説明する。
まず、鍵６の利用者によってＩＤカード９が外部カードリーダ２の読み取り面にかざされると、外部カードリーダ２は、ＩＤカード９に記憶された識別情報を読み取る（ステップＳ１）。
【００２０】
続いて、扉施錠制御手段２１は、外部カードリーダ２で読み取られた識別情報と、メモリ１２に記憶された認証情報とを比較し、鍵６の利用者が認証されたか否かを判定する（ステップＳ２）。
ステップＳ２において、鍵６の利用者が認証されない（すなわち、Ｎｏ）と判定された場合には、そのまま図３の処理を終了する。このとき、警報制御手段２３は、スピーカ３を介して、利用者が認証されないことを知らせる警報を発してもよい。
【００２１】
一方、ステップＳ２において、鍵６の利用者が認証された（すなわち、Ｙｅｓ）と判定された場合には、扉施錠制御手段２１は、扉５に対して解錠指令を出力する（ステップＳ３）。
次に、鍵６の利用者が扉５を開き、挿入口１０にＩＤカード９を挿入すると、内部カードリーダ１１は、ＩＤカード９に記憶された識別情報を読み取る（ステップＳ４）。
【００２２】
続いて、スライドカバー施錠制御手段２２は、内部カードリーダ１１で読み取られた識別情報が、外部カードリーダ２で読み取られた識別情報と一致するか否かを判定する（ステップＳ５）。
ステップＳ５において、識別情報が一致しない（すなわち、Ｎｏ）と判定された場合には、そのまま図３の処理を終了する。このとき、警報制御手段２３は、スピーカ３を介して、ＩＤカード９が異なることを知らせる警報を発してもよい。
【００２３】
一方、ステップＳ５において、識別情報が一致した（すなわち、Ｙｅｓ）と判定された場合には、スライドカバー施錠制御手段２２は、スライドカバー８に対して解錠指令を出力する（ステップＳ６）。
次に、扉施錠制御手段２１は、鍵６が取り出されたか否かを判定する（ステップＳ７）。このことは、鍵設置状態判定手段１４からの出力によって判定することができる。
【００２４】
ステップＳ７において、鍵６が取り出された（すなわち、Ｙｅｓ）と判定された場合には、扉施錠制御手段２１は、扉５に対して施錠指令を出力して扉５を施錠し（ステップＳ８）、鍵６の返却待ち状態に移行して（ステップＳ９）、図３の処理を終了する。
一方、ステップＳ７において、鍵６が取り出されない（すなわち、Ｎｏ）と判定された場合には、再度ステップＳ７に移行する。
【００２５】
なお、ステップＳ７において、鍵６が取り出され、かつＩＤカード９が抜き取られた場合、警報制御手段２３は、スピーカ３を介して、ＩＤカード９および鍵６が設置されていないことを知らせる警報を発する。
また、ステップＳ７の処理が所定時間以上継続して繰り返された場合、警報制御手段２３は、スピーカ３を介して、鍵６の取り出しを要求する警報を発してもよい。
【００２６】
また、ステップＳ７において、ＩＤカード９が抜き取られて扉５が閉められた場合、扉施錠制御手段２１は、扉５を施錠して図３の処理を終了してもよい。
また、ステップＳ７において、鍵６が取り出されることなく扉５が閉められた場合、扉施錠制御手段２１は、扉５を施錠することなく、鍵６の取り出しまたはＩＤカード９の抜き取りを要求する警報を発してもよい。
【００２７】
ここで、鍵６の利用者が保守作業を行うために機械室のドアを開放すると、ドアに設けられた機械室ドアスイッチ３１は、コントローラ２０に対してドア開放信号を出力する。
【００２８】
続いて、図４のフローチャートを参照しながら、鍵６の返却時の動作について説明する。この動作は、扉施錠制御手段２１が鍵６の返却待ち状態にある場合に実行される。
まず、鍵６の利用者によって鍵６が鍵穴４に挿入され、鍵穴４から操作信号が入力されると、扉施錠制御手段２１は、機械室ドアスイッチ３１からドア開放信号が入力されたか否かを判定する（ステップＳ１１）。
【００２９】
ステップＳ１１において、ドア開放信号が入力されていない（すなわち、Ｎｏ）と判定された場合には、そのまま図４の処理を終了する。このとき、警報制御手段２３は、スピーカ３を介して、機械室のドアが開放されず、保守作業が行われていないことを知らせる警報を発してもよい。
【００３０】
一方、ステップＳ１１において、ドア開放信号が入力された（すなわち、Ｙｅｓ）と判定された場合には、扉施錠制御手段２１は、扉５に対して解錠指令を出力する（ステップＳ１２）。
次に、スライドカバー施錠制御手段２２は、鍵６が鍵保管部７に返却されたか否かを判定する（ステップＳ１３）。このことは、鍵設置状態判定手段１４からの出力によって判定することができる。
【００３１】
ステップＳ１３において、鍵６が返却された（すなわち、Ｙｅｓ）と判定された場合には、スライドカバー施錠制御手段２２は、スライドカバー８に対して施錠指令を出力してスライドカバー８を施錠し（ステップＳ１４）する。
一方、ステップＳ１３において、鍵６が返却されていない（すなわち、Ｎｏ）と判定された場合には、再度ステップＳ１３に移行する。
【００３２】
なお、ステップＳ１３の処理が所定時間以上継続して繰り返された場合、警報制御手段２３は、スピーカ３を介して、鍵６の返却を要求する警報を発してもよい。
また、ステップＳ１３において、鍵６が返却されることなく扉５が閉められた場合、扉施錠制御手段２１は、扉５を施錠して図４の処理を終了してもよいし、扉５を施錠することなく、鍵６の返却を要求する警報を発してもよい。
【００３３】
続いて、扉施錠制御手段２１は、ＩＤカード９が挿入口１０から抜き取られた否かを判定する（ステップＳ１５）。このことは、カード設置状態判定手段１３からの出力によって判定することができる。
ステップＳ１５において、ＩＤカード９が抜き取られた（すなわち、Ｙｅｓ）と判定された場合には、扉施錠制御手段２１は、扉５に対して施錠指令を出力して扉５を施錠し（ステップＳ１６）、図４の処理を終了する。
【００３４】
一方、ステップＳ１５において、ＩＤカード９が抜き取られていない（すなわち、Ｎｏ）と判定された場合には、再度ステップＳ１５に移行する。
なお、ステップＳ１５の処理が所定時間以上継続して繰り返された場合、警報制御手段２３は、スピーカ３を介して、ＩＤカード９の抜き取りを要求する警報を発してもよい。
また、ステップＳ１５において、ＩＤカード９が抜き取られることなく扉５が閉められた場合、扉施錠制御手段２１は、扉５を施錠することなく、ＩＤカード９の抜き取りを要求する警報を発してもよい。
【００３５】
この発明の実施の形態１に係る鍵管理システムによれば、警報制御手段２３は、カード設置状態判定手段１３によりＩＤカード９が設置されていないと判定され、鍵設置状態判定手段１４により鍵６が設置されていないと判定された場合に、警報を発する。また、ＩＤカード９は、社員全員が携帯する社員証である。
すなわち、エレベータの保守作業時のために鍵６をキーボックス１から取り出している間は、ＩＤカード９をキーボックス１内に残しておく必要がある。
そのため、鍵の返却忘れを防止して、必要なときにエレベータの保守用の鍵を取り出すことができる。
【００３６】
また、コントローラ２０は、鍵設置状態判定手段１４から出力される判定結果を、エレベータのかごの動作を制御するかご制御盤を介して、エレベータを遠隔管理する管理センターに伝達する。
そのため、管理センター３３で保守作業の状態を把握することができ、エレベータの保守作業を行う者による作業開始および作業終了の連絡を省くことができる。
【００３７】
また、鍵６の返却時、扉施錠制御手段２１は、機械室ドアスイッチ３１からドア開放信号が入力されていない場合、すなわち機械室のドアが開放されず、保守作業が行われていない場合には、扉５を解錠せず、鍵６の返却を受け付けない。
そのため、保守作業の実行を確実なものにすることができる。
【図面の簡単な説明】
【００３８】
【図１】この発明の実施の形態１に係る鍵管理システムのキーボックスを示す斜視図である。
【図２】この発明の実施の形態１に係る鍵管理システムを示すブロック構成図である。
【図３】この発明の実施の形態１に係る鍵管理システムによる鍵の取り出し時の動作を示すフローチャートである。
【図４】この発明の実施の形態１に係る鍵管理システムによる鍵の返却時の動作を示すフローチャートである。
【符号の説明】
【００３９】
１  キーボックス、２  外部カードリーダ、３  スピーカ（警報装置）、４  鍵穴、５  扉、６  鍵、７  鍵保管部、８  スライドカバー、９  ＩＤカード（個人識別カード）、１０  挿入口、１１  内部カードリーダ、１２  メモリ、１３  カード設置状態判定手段、１４  鍵設置状態判定手段、２０  コントローラ、２１  扉施錠制御手段（キーボックス扉施錠制御手段）、２２  スライドカバー施錠制御手段（鍵保管部扉施錠制御手段）、２３  警報制御手段、３１  機械室ドアスイッチ、３２  制御盤、３３  管理センター。
【図１】
2009249821.tif 000003
【図２】
2009249821.tif 000004
【図３】
2009249821.tif 000005
【図４】
2009249821.tif 000006